(57)【要約】      （修正有）【課題】吸収式冷凍システムが保有する熱を無駄なく有効に利用して、エネルギー消費の抑制を図ることができる吸収式冷凍システムを提供する。【解決手段】吸収式冷凍システム１は、吸収式冷凍機２１と、吸収式冷凍機２１の再生器を加熱するための熱媒を供給する蓄熱槽１２と、吸収式冷凍機２１の凝縮器及び吸収器に冷却水を供給する冷却塔２５と、冷熱を蓄冷する蓄冷槽４５と、吸収式冷凍機２１・蓄熱槽１２・冷却塔２５・蓄冷槽４５・室内機４１についての熱移動を制御するシステムコントローラ５０と、を有している。ここで、システムコントローラ５０は、吸収式冷凍システム１の条件及びこれを取り巻く環境条件に基づいて、エネルギー消費が少ない制御方法を選択して室内機４１に冷水を供給する。【選択図】図１
2016057032.tif 000002
【特許請求の範囲】
【請求項１】
冷水を利用して運転する外部機器に冷却した冷水を供給する吸収式冷凍システムにおいて、
蒸発器、吸収器、再生器及び凝縮器による循環サイクルによって冷水を生成する吸収式冷凍機と、
前記吸収式冷凍機の再生器を加熱するための熱媒を供給する蓄熱槽と、
前記吸収式冷凍機の凝縮器及び吸収器に冷却水を供給する冷却塔と、
冷熱を蓄冷する蓄冷槽と、
前記吸収式冷凍機、前記蓄熱槽、前記冷却塔、前記蓄冷槽及び前記外部機器についての熱移動を制御するコントローラと、を有し、
前記コントローラは、システム条件及び環境条件に基づいて、エネルギー消費が少ない制御方法を選択して前記外部機器に冷水を供給することを特徴とする吸収式冷凍システム。
【請求項２】
前記コントローラは、選択可能な制御方法として、
外気を導入して運転するために前記外部機器に冷水を供給しない第１の制御方法と、
前記冷却塔から供給される冷却水を利用するフリークーリングを用いて前記外部機器に冷水を供給する第２の制御方法と、
前記蓄冷槽の冷熱を用いて前記外部機器に冷水を供給する第３の制御方法と、
前記吸収式冷凍機を用いて前記外部機器に冷水を供給する第４の制御方法とを、有し、
前記第１の制御方法から昇順に制御方法の適否を判定して、適当と判定された制御方法を選択することを特徴とする請求項１に記載された吸収式冷凍システム。
【請求項３】
前記蓄熱槽は、太陽熱集熱器により集熱された熱を蓄熱するものであり、
前記吸収式冷凍システムは、前記蓄熱槽を加熱する補助ボイラーをさらに有し、
前記コントローラは、選択可能な制御方法として、前記補助ボイラーにより蓄熱槽を加熱しつつ、前記吸収式冷凍機を用いて前記外部機器に冷水を供給する第５の制御方法をさらに有することを特徴とする請求項２に記載された吸収式冷凍システム。
【請求項４】
前記コントローラは、前記外部機器の運転要求がない場合には、前記吸収式冷凍機を用いて前記蓄冷槽に冷水を供給して当該蓄冷槽の蓄冷を行うことを特徴とする請求項１から３のいずれかに記載された吸収式冷凍システム。
【発明の詳細な説明】
【技術分野】
【０００１】
本発明は、吸収式冷凍システムに関する。
【背景技術】
【０００２】
従来より、蒸発器、吸収器、再生器及び凝縮器による循環サイクルによって外部機器にて使用される冷水を得る吸収式冷凍機が知られている（例えば特許文献１参照）。この吸収式冷凍機を備える吸収式冷凍システムでは、吸収式冷凍機の再生器に熱媒を供給する蓄熱槽を備えており、種々のエンジンなどの排ガス、ボイラーの蒸気、あるいは太陽熱を利用して蓄熱槽への蓄熱を行うことができる。また、この吸収式冷凍システムでは、吸収式冷凍機に入力される熱の無駄を抑制するため、外部機器の運転要求がない場合には、吸収式冷凍機からの冷水を蓄冷槽に導き、蓄冷槽に蓄冷するといったことも行われている。
【先行技術文献】
【特許文献】
【０００３】
【特許文献１】特開２０１４−０３５１３９号公報
【発明の概要】
【発明が解決しようとする課題】
【０００４】
上述のように吸収式冷凍システムでは、温熱や冷熱を保有しているため、これらの熱を無駄なく有効に利用することで、エネルギー消費の抑制に繋がるシステムの構築が望まれている。
【０００５】
本発明はかかる事情に鑑みてなされたものであり、その目的は、吸収式冷凍システムが保有する熱を無駄なく有効に利用して、エネルギー消費の抑制を図ることができる吸収式冷凍システムを提供することである。
【課題を解決するための手段】
【０００６】
かかる課題を解決するために、本発明は、冷水を利用して運転する外部機器に冷却した冷水を供給する吸収式冷凍システムを提供する。この吸収式冷凍システムは、蒸発器、吸収器、再生器及び凝縮器による循環サイクルによって冷水を生成する吸収式冷凍機と、吸収式冷凍機の再生器を加熱するための熱媒を供給する蓄熱槽と、吸収式冷凍機の凝縮器及び吸収器に冷却水を供給する冷却塔と、冷熱を蓄冷する蓄冷槽と、収式冷凍機・蓄熱槽・冷却塔・蓄冷槽・外部機器についての熱移動を制御するコントローラとを有している。そして、コントローラは、システム条件及び環境条件に基づいて、エネルギー消費が少ない制御方法を選択して外部機器に冷水を供給する。
【０００７】
ここで、本発明において、コントローラは、選択可能な制御方法として、外気を導入して運転するために外部機器に冷水を供給しない第１の制御方法と、冷却塔から供給される冷却水を利用するフリークーリングを用いて外部機器に冷水を供給する第２の制御方法と、蓄冷槽の冷熱を用いて外部機器に冷水を供給する第３の制御方法と、吸収式冷凍機を用いて外部機器に冷水を供給する第４の制御方法とを、有していることが好ましい。そして、コントローラは、第１の制御方法から昇順に制御方法の適否を判定して、適当と判定された制御方法を選択することが好ましい。
【０００８】
また、本発明において、蓄熱槽は、太陽熱集熱器により集熱された熱を蓄熱するものであり、吸収式冷凍システムは、蓄熱槽を加熱する補助ボイラーをさらに有していてもよい。この場合、コントローラは、選択可能な制御方法として、補助ボイラーにより蓄熱槽を加熱しつつ、吸収式冷凍機を用いて外部機器に冷水を供給する第５の制御方法をさらに有することが望ましい。
【０００９】
また、本発明において、コントローラは、外部機器の運転要求がない場合には、吸収式冷凍機を用いて蓄冷槽に冷水を供給して当該蓄冷槽の蓄冷を行うことが望ましい。
【発明の効果】
【００１０】
本発明によれば、エネルギー消費が少ない制御方法を選択することで、吸収式冷凍システムが保有する熱を無駄なく有効に利用することができる。これにより、システム全体のエネルギー消費の抑制を図ることができる。
【図面の簡単な説明】
【００１１】
【図１】吸収式冷凍システムを模式的に示す構成図
【図２】吸収式冷凍機の一例を示す概略構成図
【図３】吸収式冷凍システムの制御方法を示すフローチャート
【図４】吸収式冷凍システムの制御方法を示すフローチャート
【図５】第１システムにおける集熱ポンプの動作フローチャート
【図６】補助ボイラー燃焼要求信号の出力制御の手順を示すフローチャート
【図７】補助ボイラーの運転制御の手順を示すフローチャート
【図８】第２の実施形態に係る吸収式冷凍システムの変形例を模式的に示す構成図
【発明を実施するための形態】
【００１２】
（第１の実施形態）
図１は、本実施形態に係る吸収式冷凍システム１を模式的に示す構成図である。本実施形態に係る吸収式冷凍システム１は、太陽熱を利用して吸収式冷凍機２１の希溶液を加熱するものであり、第１システム１０と、第２システム２０と、第３システム４０と、システムコントローラ５０とを備えている。
【００１３】
第１システム１０は、太陽熱を蓄熱するシステムであり、太陽熱集熱器１１と、蓄熱槽１２と、集熱流路１３と、集熱ポンプ１４と、補助ボイラー１６とを備えている。
【００１４】
太陽熱集熱器１１は、太陽光を受光することで熱媒を加熱するものであって、例えば屋根の上などの太陽光を受光し易い位置に設置される。熱媒には、水、不凍液（例えばプロピレングリコール水溶液）などが用いられる。
【００１５】
蓄熱槽１２は、太陽熱集熱器１１によって集熱した熱を蓄熱するものであり、例えば太陽熱集熱器１１にて加熱された熱媒を内部に貯留するタンクである。
【００１６】
集熱流路１３は、太陽熱集熱器１１から蓄熱槽１２を経て再度太陽熱集熱器１１に熱媒を循環させる配管である。この集熱流路１３のうち、蓄熱槽１２から太陽熱集熱器１１に向かう流路を第１集熱流路１３ａと称し、太陽熱集熱器１１から蓄熱槽１２に向かう流路を第２集熱流路１３ｂと称する。
【００１７】
集熱ポンプ１４は、第１集熱流路１３ａに設けられており、熱媒を循環させる動力源となるものである。
【００１８】
本実施形態では、集熱方式は直接集熱式であり、集熱流路１３にて太陽熱集熱器１１と蓄熱槽１２との間を循環する熱媒と、後述する熱媒流路２２にて蓄熱槽１２と吸収式冷凍機２１との間を循環する熱媒とを共用している。しかしながら、集熱方式を間接集熱式とし、集熱流路１３にて太陽熱集熱器１１と蓄熱槽１２との間を循環する熱媒と、熱媒流路２２にて蓄熱槽１２と吸収式冷凍機２１との間を循環する熱媒とを分離して使用するものでもよい。この場合、蓄熱槽１２は熱交換器を備えるものとし、集熱流路１３を介して循環する熱媒を熱交換器に流して蓄熱槽１２を加熱することができる。
【００１９】
補助ボイラー１６は、蓄熱槽１２の熱媒を強制的に加熱するものである。循環流路１５は、蓄熱槽１２から補助ボイラー１６を経て再度蓄熱槽１２へと熱媒を循環させる配管である。循環流路１５には、熱媒を補助ボイラー１６と蓄熱槽１２との間で循環させる補助ボイラー循環ポンプ１７が設けられている。
【００２０】
第２システム２０は、後述する室内機４１にて使用される又は蓄冷槽４５にて蓄冷される冷水を得るためのものであり、吸収式冷凍機２１と、熱媒流路２２と、熱媒ポンプ２３と、熱交換器２９とを備えている。なお、本実施形態では、室内機４１又は蓄冷槽４５に冷水を利用するものであるが、冷水に限らず、その他の冷媒を利用するものでもよい。
【００２１】
図２は、吸収式冷凍機２１の一例を示す概略構成図である。吸収式冷凍機２１は、再生器における希溶液を加熱し、当該再生器、凝縮器、蒸発器及び吸収器の循環サイクルによって冷水を得るものである。吸収式冷凍機２１は、再生器１０１、凝縮器１０２、蒸発器１０３及び吸収器１０４で構成されている。また、吸収式冷凍機２１には、冷却塔２５と、冷却水流路２６とが組み合わされている。
【００２２】
再生器１０１は、冷媒（例えば水）と、吸収液となる臭化リチウム（ＬｉＢｒ）とが混合された希溶液（吸収液の濃度が低い溶液）を加熱するものである。以下、冷媒が蒸気化したものを「冷媒蒸気」といい、冷媒が液化したものを「液冷媒」という。この再生器１０１には熱媒流路２２が配置されており、熱媒流路２２上に希溶液が散布され加熱される。再生器１０１は、加熱により希溶液から蒸気を放出させることにより、冷媒蒸気と濃溶液（吸収液の濃度が高い溶液）とを生成する。
【００２３】
凝縮器１０２は、再生器１０１から供給された冷媒蒸気を液化させるものである。この凝縮器１０２内には、冷却塔２５で冷却された冷却水が流通する伝熱管１０２ａが設けられている。この伝熱管１０２ａには、冷却水が伝熱管１０２ａと冷却塔２５との間を循環できるように冷却水流路２６が連結されている。蒸発した冷媒蒸気は伝熱管１０２ａ内の冷却水によって液化する。凝縮器１０２にて液化した液冷媒は蒸発器１０３に供給される。
【００２４】
蒸発器１０３は、液冷媒を蒸発させるものである。この蒸発器１０３内には、室内機４１に接続される冷水流路４２が設けられている。この冷水流路４２には、室内機４１によって暖められた冷水が流れている。また、蒸発器１０３内は、真空状態となっている。このため、冷媒である水の蒸発温度は約５℃となる。よって、冷水流路４２上に散布された液冷媒は冷水流路４２の温度によって蒸発することとなる。一方、冷水流路４２内の冷水は、液冷媒の蒸発によって温度が奪われる。これにより、冷水流路４２内を流れる冷水は冷却され、この冷却された冷水が室内機４１に供給される。
【００２５】
吸収器１０４は、蒸発器１０３において蒸発した冷媒を吸収するものである。再生器１０１から濃溶液が供給され、蒸発した冷媒は濃溶液によって吸収され、希溶液が生成される。この吸収器１０４内には、冷却塔２５で冷却された冷却水が流通する伝熱管１０４ａが設けられている。この伝熱管１０４ａには、冷却水が伝熱管１０４ａと冷却塔２５との間を循環できるように冷却水流路２６が連結されている。濃溶液の冷媒の吸収により生じる吸収熱は、伝熱管１０４ａを流通する冷却水により除去される。冷媒の吸収により濃度が低下した希溶液は、ポンプ１０４ｂによって再生器１０１に供給される。なお、伝熱管１０４ａは、冷却塔２５の冷却水を凝縮器１０２とで共用するために、凝縮器１０２の伝熱管１０２ａと接続されている。
【００２６】
冷却塔２５は、冷却水を吸収式冷凍機２１に供給するとともに、吸収式冷凍機２１によって暖められた冷却水を冷却するものである。冷却塔２５は、例えば底部に冷却水を収容する槽を有している。この槽にはフロートの上下によって給水が行われ、当該槽は一定の量の冷却水を貯留する。また、冷却塔２５は、その上部に、ファンと当該ファンの下方に配置される熱交換部とを有している。吸収式冷凍機２１から戻ってきた冷却水は熱交換部に散布され、熱交換部を通過することで冷却される。当該熱交換部により冷却された冷却水は槽に貯留される。
【００２７】
冷却水流路２６は、冷却塔２５から吸収式冷凍機２１の吸収器１０４及び凝縮器１０２を経て再度冷却塔２５に冷却水を循環させる配管である。このうち、冷却塔２５から吸収式冷凍機２１に向かう流路を第１冷却水流路２６ａと称し、吸収式冷凍機２１から冷却塔２５に向かう流路を第２冷却水流路２６ｂと称する。
【００２８】
第１冷却水流路２６ａは、冷却塔２５の底部（槽の底部分）に連結されており、この第１冷却水流路２６ａには冷却水ポンプ２７が設けられている。冷却水ポンプ２７は、冷却水を循環させる動力源となるものである。第２冷却水流路２６ｂは、冷却塔２５の上部（ファンと熱交換部との間）に連結されている。
【００２９】
さらに、吸収式冷凍機２１は、制御部１０５を備えている。この制御部１０５はＣＰＵ（Central Processing Unit）を備え、使用者からの空調要求（室内機４１の運転要求）に応じて、吸収式冷凍機２１の運転を制御するものである。
【００３０】
吸収式冷凍機２１を運転する場合、制御部１０５は、吸収式冷凍機２１の内部に設けられている冷水出口温度センサから得られる冷水出口温度に基づいて吸収式冷凍機２１の制御を行う。具体的には、制御部１０５には、通常冷房運転時における温調停止温度と温調開始温度とが記憶されている（通常、温調停止温度＜温調開始温度）。制御部１０５は、冷水出口温度が温調停止温度以下になると、その運転を一時停止させ（温調停止）、冷水出口温度が温調開始温度以上となると、温調停止を解除してその運転を再開する。なお、一時停止中において後述する冷水ポンプ４３は動作しており、冷水は循環させられている。
【００３１】
再び図１を参照するに、熱媒流路２２は、蓄熱槽１２から吸収式冷凍機２１の再生器１０１を経て再度蓄熱槽１２に熱媒を循環させる配管である。このうち、蓄熱槽１２から吸収式冷凍機２１の再生器１０１に向かう流路を第１熱媒流路２２ａと称し、吸収式冷凍機２１の再生器１０１から蓄熱槽１２に向かう流路を第２熱媒流路２２ｂと称する。
【００３２】
熱媒ポンプ２３は、熱媒流路２２のうち第１熱媒流路２２ａに設けられており、熱媒を循環させる動力源となるものである。
【００３３】
熱交換器２９は、室内機４１に供給される冷水と冷却塔２５で冷却された冷却水との間で熱交換を行い、室内機４１に供給される冷水を冷却するものである（フリークーリング）。この熱交換器２９内には、分岐冷却水流路２８及び後述する冷水流路４２が設けられている。
【００３４】
分岐冷却水流路２８は、第１冷却水流路２６ａを流れる冷却水を、熱交換器２９を経由して第２冷却水流路２６ｂに戻す配管である。この分岐冷却水流路２８のうち、第１冷却水流路２６ａから熱交換器２９に向かう流路を第１分岐冷却水流路２８ａと称し、熱交換器２９から第２冷却水流路２６ｂに向かう流路を第２分岐冷却水流路２８ｂと称する。
【００３５】
第１冷却水流路２６ａから第１分岐冷却水流路２８ａに分岐する分岐点には、第１切替弁３０が設けられている。第１切替弁３０は、三方弁であり、冷却塔２５から供給される冷却水を吸収式冷凍機２１に供給するルートと、熱交換器２９に供給するルートとを切り替えることができる。
【００３６】
第３システム４０は、冷水を室内機４１に供給するものであり、一つ以上（例えば３つ）の室内機４１と、冷水流路４２と、冷水ポンプ４３と、蓄冷槽４５とで構成されている。
【００３７】
個々の室内機４１は、室内に設けられている。個々の室内機４１は、使用者からの空調要求に応じて、冷房運転を行う空調機である。この冷房運転において、個々の室内機４１は、室内機４１に供給される冷水と室内から取り込んだ空気との間で熱交換を行い、冷水によって空気を冷却し、冷却した空気を室内に送風する。
【００３８】
冷水流路４２は、室内機４１から吸収式冷凍機２１の蒸発器１０３を経て再度室内機４１に冷水を循環させる配管であり、個々の室内機４１は並列的に接続されている。
このうち、室内機４１から吸収式冷凍機２１の蒸発器１０３に向かう流路を第１冷水流路４２ａと称し、吸収式冷凍機２１の蒸発器１０３から室内機４１に向かう流路を第２冷水流路４２ｂと称する。
【００３９】
冷水ポンプ４３は、冷水流路４２のうち第１冷水流路４２ａに設けられており、冷水を循環させる動力源となるものである。
【００４０】
蓄冷槽４５は、吸収式冷凍機２１によって冷却された冷水を通じて蓄冷するものであり、例えば吸収式冷凍機２１にて冷却された冷水を内部に貯留するタンクである。なお、蓄冷槽４５は、導入した冷水の冷熱を蓄冷材により蓄冷するものでもよい。この場合、蓄冷材料は、例えば水とゲル剤（天然高分子）との混合物を用いることができるが、特にこれに限られるものではない。また、蓄冷槽４５が冷水を流通させる熱交換器を備えるタイプのものであってもよい。
【００４１】
蓄冷槽４５には、分岐冷水流路４４が設けられている。この分岐冷水流路４４は、冷水流路４２を流れる冷水を蓄冷槽４５を経由して再度冷水流路４２に戻す配管である。このうち、第２冷水流路４２ｂから蓄冷槽４５に向かう流路を第１分岐冷水流路４４ａと称し、蓄冷槽４５から第１冷水流路４２ａに向かう流路を第２分岐冷水流路４４ｂと称する。また、分岐冷水流路４４には、第２分岐冷水流路４４ｂを流れる冷水を第２冷水流路４２ｂに戻す第３分岐冷水流路４４ｃが含まれている。
【００４２】
第２冷水流路４２ｂから第１分岐冷水流路４４ａに分岐する分岐点には、第２切替弁４６が設けられている。第２切替弁４６は、三方弁であり、吸収式冷凍機２１から供給される冷水を蓄冷槽４５に供給するルートと、室内機４１に供給するルートとを切り替えることができる。
【００４３】
また、第２分岐冷水流路４４ｂから第３分岐冷水流路４４ｃに分岐する分岐点には、第３切替弁４７が設けられている。第３切替弁４７は、三方弁であり、蓄冷槽４５から供給される冷水を室内機４１（第２冷水流路４２ｂ）に供給するルートと、吸収式冷凍機２１（第１冷水流路４２ａ）に戻すルートとを切り替えることができる。
【００４４】
システムコントローラ５０は、吸収式冷凍システム１全体の制御を司るものである。システムコントローラ５０には、制御入力として、各種センサ等からの信号が入力されている。システムコントローラ５０は、制御入力に基づいて各種の演算を行い、この演算結果に従った制御出力を吸収式冷凍システム１の各部に出力する。システムコントローラ５０としては、ＣＰＵ、ＲＯＭ、ＲＡＭ、Ｉ／Ｏインターフェースを主体に構成されたマイクロコンピュータを用いることができる。
【００４５】
蓄熱槽温度センサ５１は、蓄熱槽１２の温度を検出するセンサであり、蓄熱槽１２の温度に応じた信号をシステムコントローラ５０に出力する。集熱器出口温度センサ５２は、太陽熱集熱器１１から流出した熱媒の温度（集熱器出口温度）を検出するセンサであり、集熱器出口温度に応じた信号をシステムコントローラ５０に出力する。
【００４６】
室内機入口温度センサ５３は、吸収式冷凍機２１から室内機４１に供給される冷水の温度（室内機入口温度）を検出するセンサであり、室内機入口温度に応じた信号をシステムコントローラ５０に出力する。室内機出口温度センサ５４は、室内機４１から吸収式冷凍機２１に戻る冷水の温度（室内機出口温度）を検出するセンサであり、室内機出口温度に応じた信号をシステムコントローラ５０に出力する。
【００４７】
外気温センサ５５は、外気温を検出するセンサであり、外気温に応じた信号をシステムコントローラ５０に出力する。湿球温度センサ５６は、湿球温度を検出するセンサであり、湿球温度に応じた信号をシステムコントローラ５０に出力する。蓄冷槽温度センサ５７は、蓄冷槽４５の温度を検出するセンサであり、蓄冷槽４５の温度に応じた信号をシステムコントローラ５０に出力する。
【００４８】
本実施形態の特徴の一つとして、システムコントローラ５０は、吸収式冷凍機２１、蓄熱槽１２、冷却塔２５、蓄冷槽４５、室内機４１についての熱移動を制御する。そして、システムコントローラ５０は、吸収式冷凍システム１の条件（システム条件）及びこれを取り巻く環境の条件（環境条件）に基づいて、エネルギー消費が少ない制御方法を選択して室内機４１に冷水を供給する。
【００４９】
図３及び図４は、吸収式冷凍システム１の制御方法を示すフローチャートである。このフローチャートに示す処理は、所定の周期で呼び出されシステムコントローラ５０により実行される。
【００５０】
まず、ステップ１０（Ｓ１０）において、システムコントローラ５０は、室内機４１に対する空調要求があるか否かを判断する。空調要求がない場合には、ステップ１０において否定判定され、ステップ１１（Ｓ１１）の処理に進む。一方、空調要求がある場合には、ステップ１０において肯定判定され、ステップ１５（Ｓ１５）の処理に進む。
【００５１】
ステップ１１において、システムコントローラ５０は、蓄熱槽１２の温度が起動判定温度Ｔ０よりも大きいか否かを判断する。ここで、起動判定温度Ｔ０は、吸収式冷凍機２１を起動することができないと判断する蓄熱槽１２の温度の上限値を示すものであり、予め設定されている。蓄熱槽１２の温度が起動判定温度Ｔ０よりも大きい場合には、ステップ１１において肯定判定され、ステップ１２（Ｓ１２）に進む。一方、蓄熱槽１２の温度が起動判定温度Ｔ０以下の場合には、ステップ１１において否定判定され、ステップ１４（Ｓ１４）に進む。
【００５２】
ステップ１２おいて、システムコントローラ５０は、蓄冷槽４５の温度が冷房可能温度Ｔ１よりも小さいか否かを判断する。ここで、冷房可能温度Ｔ１は、蓄冷槽４５からの冷水により室内機４１の冷房運転を行うことができないと判断する蓄冷槽４５の温度の下限値を示すものであり、予め設定されている。蓄冷槽４５の温度が冷房可能温度Ｔ１以上の場合には、ステップ１２において否定判定され、ステップ１３（Ｓ１３）に進む。一方、蓄冷槽４５の温度が冷房可能温度Ｔ１よりも小さい場合には、ステップ１２において肯定判定され、ステップ１４に進む。
【００５３】
ステップ１３において、システムコントローラ５０は、吸収式冷凍機２１を運転させて蓄冷槽４５に冷熱を蓄冷する。具体的には、システムコントローラ５０は、吸収式冷凍機２１の制御部１０５に対して運転指令を出力し、吸収式冷凍機２１を運転する。また、システムコントローラ５０は、熱媒ポンプ２３、冷却水ポンプ２７及び冷水ポンプ４３に運転指令を出力し、これらのポンプ２３，２７，４３を運転する。さらに、システムコントローラ５０は、第２切替弁４６を制御して、吸収式冷凍機２１から供給される冷水を蓄冷槽４５に供給するルートを設定するとともに、第３切替弁４７を制御して、蓄冷槽４５から供給される冷水を吸収式冷凍機２１に戻すルートを設定する。第２切替弁４６及び第３切替弁４７の制御により、吸収式冷凍機２１と蓄冷槽４５との間を冷水が循環することとなる。そして、本処理を終了する（ＲＥＴＵＲＮ）。
【００５４】
ステップ１４において、システムコントローラ５０は、吸収式冷凍機２１による蓄冷槽４５への蓄冷を終了する。具体的には、システムコントローラ５０は、吸収式冷凍機２１の制御部１０５に対して休止指令を出力し、吸収式冷凍機２１の運転を休止する。また、システムコントローラ５０は、熱媒ポンプ２３、冷却水ポンプ２７及び冷水ポンプ４３に停止指令を出力し、これらのポンプ２３，２７，４３の運転を停止する。
【００５５】
ステップ１５において、システムコントローラ５０は、現在の時刻が夜間に該当するか否かを判定する。夜間となる時間帯は、例えば午後６時から午前６時までの時間帯等として予め定められている。この時間帯は、夏季と冬季といったように季節に応じて異なる時間帯に設定することも可能である。
【００５６】
現在の時刻が夜間に該当する場合には、ステップ１５において肯定判定され、ステップ１６（Ｓ１６）に進む。一方、現在の時刻が夜間でない日中である場合には、ステップ１５において否定判定され、ステップ２１（Ｓ２１）に進む。
【００５７】
ステップ１６において、システムコントローラ５０は、外気温が低温判定値よりも低いか否かを判断する。低温判定値は、外気導入による室内機４１の冷房運転が可能な程度に外気温が低いか否かを判定する温度であり、予め設定されている。外気温が低温判定値よりも低い場合には、ステップ１６において肯定判定され、ステップ１７（Ｓ１７）に進む。一方、外気温が低温判定値以上である場合には、ステップ１６において否定判定され、ステップ１８（Ｓ１８）に進む。
【００５８】
ステップ１７において、システムコントローラ５０は、外気導入による室内機４１の冷房運転を指令する。この場合、個々の室内機４１は、外気を室内に送風する。そして、本処理を終了する（ＲＥＴＵＲＮ）。
【００５９】
ステップ１８において、システムコントローラ５０は、湿球温度が湿球温度判定値よりも低いか否かを判断する。湿球温度判定値は、フリークーリングに必要な冷却水を冷却塔２５により生成可能か否かを判断するための値であり、予め設定されている。湿球温度が湿球温度判定値よりも低い場合には、ステップ１８において肯定判定され、ステップ１９（Ｓ１９）に進む。一方、湿球温度が湿球温度判定値以上である場合には、ステップ１８において否定判定され、ステップ２１に進む。
【００６０】
ステップ１９において、システムコントローラ５０は、予め設定された基準値と比較することで室内機４１の負荷が大きいか否かを判定する。室内機４１の負荷は、室内機入口温度と室内機出口温度との温度差に基づいて演算することができる。室内機４１の負荷が小さい場合には、ステップ１９において否定判定され、ステップ２０（Ｓ２０）に進む。一方、室内機４１の負荷が大きい場合には、ステップ１９において肯定判定され、ステップ２１に進む。
【００６１】
ステップ２０において、システムコントローラ５０は、フリークーリングを用いた室内機４１の冷房運転を指令する。この際、システムコントローラ５０は、第１切替弁３０を制御して、冷却塔２５から供給される冷却水を熱交換器２９に供給するルートに設定する。さらに、システムコントローラ５０は、冷却水ポンプ２７に運転指令を出力し、このポンプ２７を運転する。これにより、冷却塔２５と熱交換器２９との間で冷却水が循環することとなる。また、システムコントローラ５０は、第２切替弁４６を制御して、吸収式冷凍機２１から供給される冷水を室内機４１に供給するルートを設定する。さらに、システムコントローラ５０は、冷水ポンプ４３に運転指令を出力し、このポンプ４３を運転する。これにより、熱交換器２９と室内機４１との間を冷水が循環することとなる。
【００６２】
この冷房運転において、個々の室内機４１は、熱交換器２９により冷却された冷水と室内から取り込んだ空気との間で熱交換を行い、冷水によって空気を冷却し、冷却した空気を室内に送風する。そして、本処理を終了する（ＲＥＴＵＲＮ）。
【００６３】
ステップ２１において、システムコントローラ５０は、室内機４１の冷房運転に必要な温度の冷水が蓄冷槽４５にあるか否かを判断する。室内機４１の冷房運転に必要な温度の冷水が蓄冷槽４５にある場合には、ステップ２１において肯定判定されるので、ステップ２２（Ｓ２２）に進む。一方、室内機４１の冷房運転に必要な温度の冷水が蓄冷槽４５にない場合には、ステップ２１において否定判定されるので、ステップ２３（Ｓ２３）に進む。
【００６４】
ステップ２２において、システムコントローラ５０は、蓄冷槽４５の冷水を用いた室内機４１の冷房運転を指令する。この際、システムコントローラ５０は、第２切替弁４６を制御して、室内機４１から戻った冷水を吸収式冷凍機２１を介して蓄冷槽４５に供給するルートを設定するとともに、第３切替弁４７を制御して、蓄冷槽４５から供給される冷水を室内機４１に供給するルートを設定する。また、システムコントローラ５０は、冷水ポンプ４３に運転指令を出力し、このポンプ４３を運転する。これにより、蓄冷槽４５と室内機４１との間を冷水が循環することとなる。
【００６５】
この冷房運転において、個々の室内機４１は、蓄冷槽４５から供給される冷水と室内から取り込んだ空気との間で熱交換を行い、冷水によって空気を冷却し、冷却した空気を室内に送風する。そして、本処理を終了する（ＲＥＴＵＲＮ）。
【００６６】
ステップ２３において、システムコントローラ５０は、蓄熱槽１２の温度が起動判定温度Ｔ０よりも大きいか否かを判断する。蓄熱槽１２の温度が起動判定温度Ｔ０よりも大きい場合には、ステップ２３において肯定判定され、ステップ２４（Ｓ２４）に進む。一方、蓄熱槽１２の温度が起動判定温度Ｔ０以下の場合には、ステップ２３において否定判定され、ステップ２５（Ｓ２５）に進む。
【００６７】
ステップ２４において、システムコントローラ５０は、吸収式冷凍機２１からの冷水を用いた室内機４１の冷房運転を指令する。この際、システムコントローラ５０は、吸収式冷凍機２１の制御部１０５に対して運転指令を出力し、吸収式冷凍機２１の運転を開始する。また、システムコントローラ５０は、熱媒ポンプ２３、冷却水ポンプ２７及び冷水ポンプ４３に運転指令を出力し、これらのポンプ２３，２７，４３を運転する。さらに、システムコントローラ５０は、第２切替弁４６を制御して、吸収式冷凍機２１から供給される冷水を室内機４１に供給するルートを設定する。第２切替弁４６の制御により、吸収式冷凍機２１と室内機４１との間を冷水が循環することとなる。
【００６８】
この冷房運転において、個々の室内機４１は、吸収式冷凍機２１から供給される冷水と室内から取り込んだ空気との間で熱交換を行い、冷水によって空気を冷却し、冷却した空気を室内に送風する。そして、本処理を終了する（ＲＥＴＵＲＮ）。
【００６９】
ステップ２５において、システムコントローラ５０は、補助ボイラー１６を運転しつつ、吸収式冷凍機２１からの冷水を用いた室内機４１の冷房運転を指令する。具体的には、システムコントローラ５０は、補助ボイラー１６に運転指令を出力し、補助ボイラー１６により蓄熱槽１２の熱媒を加熱する。また、システムコントローラ５０は、吸収式冷凍機２１の制御部１０５に対して運転指令を出力し、吸収式冷凍機２１の運転を開始する。また、システムコントローラ５０は、熱媒ポンプ２３、冷却水ポンプ２７、冷水ポンプ４３及び補助ボイラー循環ポンプ１７に運転指令を出力し、これらのポンプ２３，２７，４３，１７を運転する。さらに、システムコントローラ５０は、第２切替弁４６を制御して、吸収式冷凍機２１から供給される冷水を室内機４１に供給するルートを設定する。第２切替弁４６の制御により、吸収式冷凍機２１と室内機４１との間を冷水が循環することとなる。
【００７０】
この冷房運転において、個々の室内機４１は、吸収式冷凍機２１から供給される冷水と室内から取り込んだ空気との間で熱交換を行い、冷水によって空気を冷却し、冷却した空気を室内に送風する。そして、本処理を終了する（ＲＥＴＵＲＮ）。
【００７１】
図５は、第１システム１０における集熱ポンプ１４の動作フローチャートである。このフローチャートに示す処理は、システムコントローラ５０によって実行される。
【００７２】
まず、ステップ３０（Ｓ３０）において、システムコントローラ５０は、蓄熱槽１２の温度が蓄熱完了温度よりも小さいか否かを判断する。蓄熱完了温度は、吸収式冷凍機２１を運転するために蓄熱槽１２に要求する温度であり、予め設定されている。蓄熱槽１２の温度が蓄熱完了温度よりも小さい場合には、ステップ３０において肯定判定されて、ステップ３１（Ｓ３１）に進む。一方、蓄熱槽１２の温度が蓄熱完了温度以上の場合には、ステップ３０において否定判定されて、ステップ３３（Ｓ３３）に進む。
【００７３】
ステップ３１において、システムコントローラ５０は、集熱器出口温度と蓄熱槽１２の温度との温度差が、予め設定した判定値以上であるか否かを判断する。当該温度差が判定値以上である場合には、ステップ３１において肯定判定され、ステップ３２（Ｓ３２）に進む。一方、当該温度差が判定値よりも小さい場合には、ステップ３１において否定判定され、ステップ３３に進む。
【００７４】
ステップ３２において、システムコントローラ５０は、蓄熱槽１２への蓄熱を行う。具体的には、システムコントローラ５０は、集熱ポンプ２４を運転して、太陽熱集熱器１１と蓄熱槽１２との間で熱媒を循環させる。
【００７５】
ステップ３３において、システムコントローラ５０は、蓄熱槽１２への蓄熱を停止する。具体的には、システムコントローラ５０は、集熱ポンプ２４を停止して、太陽熱集熱器１１と蓄熱槽１２との間での熱媒の循環を停止させる。
【００７６】
このように本実施形態の吸収式冷凍システム１は、冷水を利用して運転する室内機４１に冷却した冷水を供給するシステムである。この吸収式冷凍システム１は、吸収式冷凍機２１と、吸収式冷凍機２１の再生器１０１を加熱するための熱媒を供給する蓄熱槽１２と、吸収式冷凍機２１の凝縮器１０２及び吸収器１０４に冷却水を供給する冷却塔２５と、冷熱を蓄冷する蓄冷槽４５と、吸収式冷凍機２１・蓄熱槽１２・冷却塔２５・蓄冷槽４５・室内機４１についての熱移動を制御するシステムコントローラ５０と、を有している。ここで、システムコントローラ５０は、吸収式冷凍システム１の条件及びこれを取り巻く環境条件に基づいて、エネルギー消費が少ない制御方法を選択して室内機４１に冷水を供給する。
【００７７】
この構成によれば、エネルギー消費が少ない制御方法を選択することで、吸収式冷凍システム１が保有する熱を無駄なく有効に利用することができる。これにより、システム全体のエネルギー消費の抑制を図ることができる。
【００７８】
また、本実施形態において、システムコントローラ５０は、選択可能な制御方法として、外気を導入して運転するために室内機４１に冷水を供給しない第１の制御方法と、冷却塔２５から供給される冷却水を利用するフリークーリングを用いて室内機４１に冷水を供給する第２の制御方法と、蓄冷槽４５の冷熱を用いて室内機４１に冷水を供給する第３の制御方法と、吸収式冷凍機２１を用いて室内機４１に冷水を供給する第４の制御方法とを、有している。そして、システムコントローラ５０は、第１の制御方法から昇順に制御方法の適否を判定し、適当と判定された制御方法を選択している。
【００７９】
上述の制御方法は、第１の制御方法、第２の制御方法、第３の制御方法、第４の制御方法の順番でエネルギー消費が大きくなる。そこで、これらの制御方法の適否を第１の制御方法から順番に判定することで、現時点において最もエネルギー消費が小さい制御方法を決定することができる。これにより、吸収式冷凍システム１が保有する熱を無駄なく有効に利用して、エネルギー消費の抑制を図ることができる。
【００８０】
また、本実施形態において、蓄熱槽１２は、太陽熱集熱器１１により集熱された熱を蓄熱するものである。そして、吸収式冷凍システム１は、蓄熱槽１２を加熱する補助ボイラー１６をさらに有している。この場合、システムコントローラ５０は、選択可能な制御方法として、補助ボイラー１６により蓄熱槽１２を加熱しつつ、吸収式冷凍機２１を用いて室内機４１に冷水を供給する第５の制御方法をさらに有している。
【００８１】
太陽熱集熱器１１を利用して蓄熱を行う場合には、日射量などの影響により蓄熱槽１２への蓄熱が安定して行われない傾向がある。この場合、蓄熱槽１２を加熱する補助ボイラー１６が必要となる。しかしながら、補助ボイラー１６の運転には燃料の使用が伴うところ、エネルギー消費が大きい。そこで、このような制御方法を第５の制御方法として位置付けることで、他の制御方法が優先的に選択されるので、エネルギー消費の少ない制御方法を優先的に選択することができる。また、このような第５の制御方法を選択肢として備えることで、日射量が少ない日中や夜間といったシーンで、吸収式冷凍機２１が起動できないといった状況を抑制することができる。
【００８２】
また、本実施形態において、システムコントローラ５０は、室内機４１の運転要求がない場合には、吸収式冷凍機２１を用いて蓄冷槽４５に冷水を供給して蓄冷槽４５の蓄冷を行う。
【００８３】
この構成によれば、吸収式冷凍機２１からの冷熱を蓄冷槽４５に蓄冷することで、太陽熱集熱器１１にて集熱された熱を無駄にすることなく有効利用することができる。これにより、吸収式冷凍システムが保有する熱を無駄なく有効に利用して、エネルギー消費の抑制を図ることができる。
【００８４】
また、本実施形態では、図５に示すように、集熱ポンプ１４の運転制御を適切に行うことができる。これにより、蓄熱槽１２の温度上昇による集熱停止を可能な限り抑制し、太陽熱集熱器１１による集熱機会の損失を抑制することができる。
【００８５】
（第２の実施形態）
以下、第２の実施形態に係る吸収式冷凍システム１について説明する。第２の実施形態に係る吸収式冷凍システム１では、補助ボイラー１６の制御方法を特徴の一つとするものである。第２の実施形態に係る吸収式冷凍システム１は、第１の実施形態のそれと同様の構成を用いることができるが、熱交換器２９や蓄冷槽４５などを省略することも可能である。
【００８６】
システムコントローラ５０では、通常、蓄熱槽１２の温度に基づいて、補助ボイラー１６の運転制御を行っている。すなわち、システムコントローラ５０は、蓄熱槽１２の温度が起動判定温度Ｔ０以下の場合に、補助ボイラー１６に運転指令を出力し、当該補助ボイラー１６を起動して蓄熱槽１２の追焚きを行う。
【００８７】
しかしながら、この制御方法では、吸収式冷凍機２１からの要求の有無に関わらず蓄熱槽１２の温度のみで補助ボイラー１６を起動させるため、無駄な追焚きが存在していた。例えば、室内機４１に対して供給される冷水について必要な温度が得られ、吸収式冷凍機２１が熱媒を要求しない場合、すなわち、温調停止の場合には、熱媒ポンプ２３は停止する。この時、補助ボイラー１６が運転状態だった場合、追焚きにより蓄熱槽１２の温度は上がるが、吸収式冷凍機２１での熱利用に供さないため無駄な追焚きとなる。また、蓄熱槽１２の温度を上げると、太陽熱集熱器１１の集熱効率が低下する傾向となるため、必要のない追焚きは集熱効率の低下を招いていた。
【００８８】
そこで、本実施形態では、吸収式冷凍機２１の制御部１０５は、熱媒を要求するシーンでは、補助ボイラー燃焼要求信号をシステムコントローラ５０に対しても出力する。そして、システムコントローラ５０は、蓄熱槽１２の温度と、吸収式冷凍機２１からの補助ボイラー燃焼要求信号とに基づいて、補助ボイラー１６の運転制御を行う。
【００８９】
なお、制御部１０５は、吸収式冷凍機２１の内部に設けられている冷水出口温度センサから得られる冷水出口温度に基づいて、補助ボイラー燃焼要求信号を出力するか否かを判断する。
【００９０】
冷水出口温度が信号出力判定温度以上となる場合に補助ボイラー燃焼要求信号を出力し、また、信号出力中止判定温度以下になる場合に補助ボイラー燃焼要求信号の出力を中止する。さらに、補助ボイラー燃焼要求信号を出力する場合において、予め設定された時間まで補助ボイラー燃焼要求信号の出力を待機させ、この時間内に冷水出口温度が信号出力判定温度より小さくなる場合には、補助ボイラー燃焼要求信号の出力を中止する。
【００９１】
図６は、補助ボイラー燃焼要求信号の出力制御の手順を示すフローチャートである。このフローチャートに示す処理は、所定の周期で呼び出され吸収式冷凍機２１の制御部１０５により実行される。
【００９２】
まず、ステップ５０（Ｓ５０）において、制御部１０５は、吸収式冷凍機２１の内部に設けられている冷水出口温度センサから得られる冷水出口温度が信号出力中止判定温度ＴＣ０以下であるか否かを判断する。冷水出口温度が信号出力中止判定温度ＴＣ０以下の場合には、ステップ５０において肯定判定され、ステップ５６（Ｓ５６）に進む。一方、冷水出口温度が信号出力中止判定温度ＴＣ０よりも大きい場合には、ステップ５０において否定判定され、ステップ５１（Ｓ５１）に進む。
【００９３】
ステップ５１において、制御部１０５は、吸収式冷凍機２１の内部に設けられている冷水出口温度センサから得られる冷水出口温度が信号出力判定温度ＴＣ１以上であるか否かを判断する。冷水出口温度が信号出力判定温度ＴＣ１以上の場合には、ステップ５１において肯定判定され、ステップ５２（Ｓ５２）に進む。一方、冷水出口温度が信号出力判定温度ＴＣ１よりも小さい場合には、ステップ５１において否定判定され、本処理を終了する（ＲＥＴＵＲＮ）。
【００９４】
ステップ５２において、制御部１０５は、制御部１０５の内部に設けられているタイマーで時間計測を開始する。そして、ステップ５３（Ｓ５３）に進む。
【００９５】
ステップ５３において、制御部１０５は、吸収式冷凍機２１の内部に設けられている冷水出口温度センサから得られる冷水出口温度が信号出力判定温度ＴＣ１以上であるか否かを判断する。冷水出口温度が信号出力判定温度ＴＣ１以上の場合には、ステップ５３において肯定判定され、ステップ５４（Ｓ５４）に進む。一方、冷水出口温度が信号出力判定温度ＴＣ１よりも小さい場合には、ステップ５３において否定判定され、ステップ５６に進む。
【００９６】
ステップ５４において、制御部１０５は、吸収式冷凍機２１の内部に設けられている冷水出口温度センサから得られる冷水出口温度が瞬時信号出力判定温度ＴＣ２以上であるか否かを判断する。冷水出口温度が瞬時信号出力判定温度ＴＣ２以上の場合には、ステップ５４において肯定判定され、ステップ５７（Ｓ５７）に進む。一方、冷水出口温度が瞬時信号出力判定温度ＴＣ２よりも小さい場合には、ステップ５４において否定判定され、ステップ５５（Ｓ５５）に進む。
【００９７】
ステップ５５において、制御部１０５は、制御部１０５の内部に設けられているタイマーが設定時間ｔ０を経過したか否かを判定する。タイマーが設定時間ｔ０を経過した場合には、ステップ５５において肯定判定され、ステップ５７に進む。一方、タイマーが設定時間ｔ０を経過していない場合には、ステップ５５において否定判定され、ステップ５３に戻る。
【００９８】
ステップ５６において、制御部１０５は、システムコントローラ５０に対して補助ボイラー燃焼要求信号の出力を中止する（ＯＦＦ）。そして、本処理を終了する（ＲＥＴＵＲＮ）。
【００９９】
ステップ５７において、制御部１０５は、システムコントローラ５０に対して補助ボイラー燃焼要求信号を出力する（ＯＮ）。そして、本処理を終了する（ＲＥＴＵＲＮ）。
【０１００】
なお、太陽熱集熱できない場合には、制御部１０５の補助ボイラー燃焼要求信号の出力制御は、ステップ５２、ステップ５３、ステップ５４、ステップ５５を省略し、冷水出口温度が信号出力判定温度ＴＣ１以上であれば、補助ボイラー燃焼要求信号を瞬時にシステムコントローラ５０に対して出力する制御でもよい。
【０１０１】
図７は、補助ボイラー１６の運転制御の手順を示すフローチャートである。このフローチャートに示す処理は、所定の周期で呼び出されシステムコントローラ５０により実行される。
【０１０２】
まず、ステップ４０（Ｓ４０）において、システムコントローラ５０は、蓄熱槽１２の温度が起動判定温度Ｔ０よりも大きいか否かを判断する。蓄熱槽１２の温度が起動判定温度Ｔ０よりも大きい場合には、ステップ４０において肯定判定され、ステップ４３（Ｓ４３）に進む。一方、蓄熱槽１２の温度が起動判定温度Ｔ０以下の場合には、ステップ４０において否定判定され、ステップ４１（Ｓ４１）に進む。
【０１０３】
ステップ４１において、システムコントローラ５０は、補助ボイラー燃焼要求信号があるか否かを判断する。補助ボイラー燃焼要求信号がある場合には、ステップ４１において肯定判定され、ステップ４２（Ｓ４２）に進む。一方、補助ボイラー燃焼要求信号がない場合には、ステップ４１において否定判定され、ステップ４３に進む。
【０１０４】
ステップ４２において、システムコントローラ５０は、補助ボイラー１６に運転指令を出力し、補助ボイラー１６を運転する。これにより、補助ボイラー１６により蓄熱槽１２の熱媒が加熱される。
【０１０５】
ステップ４３において、システムコントローラ５０は、補助ボイラー１６に停止指令を出力し、補助ボイラー１６を停止する。
【０１０６】
このように本実施形態において、システムコントローラ５０は、蓄熱槽１２の温度が起動判定温度Ｔ０以下でも、吸収式冷凍機２１からの補助ボイラー燃焼要求信号がない場合には、補助ボイラー１６に停止指令を出力する。
【０１０７】
この構成によれば、吸収式冷凍機２１の熱媒要求に応じて補助ボイラー１６の運転制御を行うことで、無駄な追焚きを減らすことができる。これにより、追焚きに要する燃料について削減することができる。また、補助ボイラー１６により蓄熱槽１２を加熱する時間が減り、集熱効率を高めることができる。
【０１０８】
図８は、第２の実施形態に係る吸収式冷凍システム１の変形例を模式的に示す構成図である。この変形例に係る吸収式冷凍システム１では、補助ボイラー１６を第１熱媒流路２２ａに設けている。そして、補助ボイラー１６を経由した冷媒を吸収式冷凍機２１へと至ることなく蓄熱槽１２へと戻すバイパス流路１９が設けられている。第１熱媒流路２２ａからバイパス流路１９へと分岐する分岐点には、第４切替弁１８が設けられている。第４切替弁１８は、三方弁であり、補助ボイラー１６を経由した冷媒を吸収式冷凍機２１に供給するルートと、吸収式冷凍機２１をバイパスして蓄熱槽１２へと供給するルートとを切り替えることができる。
【０１０９】
この変形例に示す吸収式冷凍システムでは、これにより、蓄熱槽１２の温度が起動判定温度Ｔ０以下でも、吸収式冷凍機２１からの補助ボイラー燃焼要求信号がない場合には、補助ボイラー１６に停止指令を出力し、補助ボイラー１６の運転を停止する。そして、蓄熱槽１２から送り出された熱媒は補助ボイラー１６によって追焚きされず、第４切替弁１８にて、吸収式冷凍機２１をバイパスして蓄熱槽１２へと戻される。
【０１１０】
また、蓄熱槽１２の温度勾配の計測を追加し、蓄熱槽１２の温度が予め設定した時間内に設定温度に到達する見込みがあれば、補助ボイラー１６への運転指令の出力を待機するとしてもよい。これにより、追焚きが抑制され、より適した運転制御を行うことができる。
【０１１１】
以上、本発明の実施形態にかかる吸収式冷凍システムについて説明したが、本発明は上述した実施形態に限定されることなく、その発明の範囲内において種々の変形が可能であることはいうまでもない。
【０１１２】
なお、本実施形態において吸収式冷凍機は、太陽熱で加熱した熱媒（温水）を利用する温水焚の方式を利用するものであるが、これに限るものではない。例えば、吸収式冷凍機は、エンジンなどの排ガスの熱を集熱して利用する排ガス焚の方式や、ボイラーなど蒸気の熱を集熱して利用する蒸気焚の方式であってもよい。
【０１１３】
また、上述した実施形態では、１台の蓄熱槽を例示したが、蓄熱槽は複数台設けられていてもよい。また、本実施形態では、１つの吸収式冷凍機を例示したが、吸収式冷凍機は複数台設けられていてもよい。
【０１１４】
さらに、上述した実施形態では、冷水を利用する機器として、３つの室内機を例示したが、これに限定されず、１台以上の室内機であってもよい。また、室内機以外にも冷水を使用する外部機器であればよい。外部機器としては、例えば工業用冷却装置等が挙げられる。
【０１１５】
また、冷却塔（冷却機）は、地中熱や地下水を利用して冷却水を冷却するものでもよい。このようなシステムでは、冷却水を低い温度に保てる為、吸収式冷凍機の冷凍能力を高めることも可能になる。
【符号の説明】
【０１１６】
１    吸収式冷凍システム
１０    第１システム
１１    太陽熱集熱器
１２    蓄熱槽
２０    第２システム
２１    吸収式冷凍機
１０１    再生器
１０２    凝縮器
１０３    蒸発器
１０４    吸収器
２５    冷却塔
４０    第３システム
４１    室内機
５０    システムコントローラ（コントローラ）
【図１】
2016057032.tif 000003
【図２】
2016057032.tif 000004
【図３】
2016057032.tif 000005
【図４】
2016057032.tif 000006
【図５】
2016057032.tif 000007
【図６】
2016057032.tif 000008
【図７】
2016057032.tif 000009
【図８】
2016057032.tif 000010